(57)【特許請求の範囲】
【請求項１】
ミネラル溶液をミスト化するミネラルミスト発生部と、加熱部と加熱部に加熱される玉砂利層とを備える浴室を備える温泉ミスト吸引施設であって、
ミネラルを含んだミネラル溶液をミスト化して浴室上部から浴室内に供給し、浴室内の玉砂利層を湿潤させた上で加熱部により加熱することで、ミネラル入りのミスト雰囲気を一定の温度と一定の湿度に維持し、
ミスト発生部と連結されるミスト管と、浴室と隣接する風よけ室と連結され送風部と連結される送風管とが連結されてミストを浴室内に供給し、
温水が供給されて温水により温度制御可能な温水ミスト発生機をさらに備え、
温水ミスト発生機をミネラルミスト発生部の下に配置され、
浴室内部に給気用換気口と排気用換気口をさらに備え、
浴室内の防水加工面を玉砂利の直下に第一の防水加工面を設け、加熱部の下に第二の防水加工面を設けることを特徴とする温泉ミスト吸引施設。
【請求項２】
ミネラル溶液を生成するミネラルタンクと、ミネラル溶液を移送するミネラル供給部と、移送されたミネラル溶液をミスト化するミスト発生部とを備える請求項１記載の温泉ミスト吸引施設。
【請求項３】
ミネラル供給部を浴室上部に配置することでミストを浴室上部から供給する請求項２記載の温泉ミスト吸引施設。
【請求項４】
ミネラル溶液を生成するミネラルタンクを加熱部であらかじめ加熱することを特徴とする請求項２記載の温泉ミスト吸引施設。
【請求項５】
浴室内のミスト放出口を、浴室内の床近傍とすることを特徴とする請求項２記載の温泉ミスト吸引施設。
【請求項６】
第一の防水加工面に第一のドレンを連結させ、第二の防水加工面に第二のドレンを連結させる請求項１記載の温泉ミスト吸引施設。
【発明の詳細な説明】
【技術分野】
【０００１】
本発明は、遠赤外線により身体を芯から温め、血液の循環を良くする温熱療法を適用するための温泉ミスト吸引施設に係り、特にミネラルを含んだ水分でミストを生成することを特徴とする温泉ミスト吸引施設に関する。
【背景技術】
【０００２】
温熱療法とは、遠赤外線により体を温め、血液の循環を良くする療法である。温熱療法は、統合治療やそれに伴う温熱療法という形で行われている。人間の身体の７０％は水分で構成されている。この水分を構成する水分子は、エネルギーを蓄える力を有している。そこで、水分子に反応する温熱波動を使い、身体をただ表面のみを温めることなく、水分子の振動エネルギーによって芯から温めることで回復能力が格段に向上する。【０００３】
もともと温熱療法は、熱に弱い癌の性質に着目して開発された療法であり、現在世界中で注目されている。ドイツ最大の代替療法クリニックであるセント・ジョージ・ホスピタルからは、温熱療法の優れた効果を証明する臨床結果が報告されている。【０００４】
温熱療法の基本的な考え方は、次の通りである。人が１日活動すると細胞エネルギーが低下する。その低下したエネルギーを、食事・睡眠・休息・などによって回復させている。健康を維持するには回復能力を高めることが必要である。そのために、身体を芯から温め、代謝を上げて血液の循環を向上させる必要がある。【０００５】
これまで、ミストを用いた装置として、幾つかの提案がなされている。【０００６】
特許文献１は、岩盤浴に超音波ミスト発生器を用いたミストサウナ個室が提案されている。「温風通路空間の入口側に温風を送風する岩盤浴用ファンヒーターを設けており、また前記超音波ミスト発生器は、ミスト発生槽と貯水タンクとを有する仕切容器からなり、前記ミスト発生槽には超音波発振子が設けられ、該超音波発振子により発生した細かい霧状のミストは、前記ミスト発生槽の上部を覆うミスト槽カバーからミストダクトを介して前記簡易組立式ユニットの上部に設けたミスト出口から室内に放出させる」ことが提案されている。【０００７】
また、特許文献２では、美顔器としてのミスト発生装置が開示されている。特許文献２では、「ミスト生成時には、前記加熱部により加熱殺菌された液体または前記放出口から放出される前のミストに対して、前記冷却部での冷却と前記電極での電気分解とが並行して行われる」という特徴を有している。【０００８】
さらに、特許文献３では、噴霧器または噴霧器と超音波振動子を併用してミストを生成している。続いて、特許文献４は、ボイラーで蒸気を生成させてミストを生成する発明が開示されている。一方、特許文献５は、給水容器を靄発生装置に装着し、加熱用ヒータにより貯留水を４０℃前後に温め、２個の超音波振動子１０を作動させて、前記超音波発振子により細かい霧状のミストが生成される。他方、特許文献６は、超音波装置を用いて、霧状のまま又は蒸気となって循環流の湿度を高める様子が開示されている。
【先行技術文献】
【特許文献】
【０００９】
【特許文献１】特許第３８７２５０１号公報
【特許文献２】特許第４９１５５８２号公報
【特許文献３】特許第５０６４５８１号公報
【特許文献４】特許第３９８７５０２号公報
【特許文献５】実用新案登録第３１２４７２４号公報
【特許文献６】特許出願公告平３−４９４６８号公報
【発明の概要】
【発明が解決しようとする課題】
【００１０】
ところで、特許文献１で示されるような岩盤浴について検討する。一枚岩を用いた岩盤浴では、岩盤が一枚岩であるため波動が単一となる。このため、この岩盤を加熱したとしても、岩盤の波動が単一であるため、人体が単一の波動に慣れてしまうことで人体に単一の波動に対する抗体ができてしまい、遠赤外線効果が薄れてしまうという課題があった。また、岩盤上には、細菌がその表面に滞留しやすく衛生面でも課題が生じていた。このため、波動の異なる遠赤外線を放射することができ、細菌の滞留の少ない素材の提供が必要である。【００１１】
また、温熱療法において遠赤外線の効果のみならず、ミネラルの提供は皮膚に対して保湿効果を有するなど美容の面で大きな効果を有するものとなっている。しかしながら、例えば天然温泉では成分配合は目的に応じて配合されたのではなく、自然界にたまたま存在する配合比で存在しており、温泉によってミネラルの成分にばらつきが生じており、温泉におけるミネラルの濃度は薄く、ミネラルの吸引という目的に対して効率的ではなかった。このため、体に良いミネラルが適切な濃度でバランス良く配合されたミネラル溶液が必要とされていた。【００１２】
ところで、従来の温熱療法では、岩盤等に直接温泉水をホースなどで撒き、床暖房の熱等を利用して蒸発させて室内の湿度を上昇させていた。出願人らは、この方法で温泉水を蒸発させて調査したところ、ミネラルの質量が水と比較して重く、蒸発せず、地下に沈殿してしまい、発生している蒸気の成分は水であり、ミネラルが一切含まれていなかった。そこで、出願人らはミネラル成分も同時に蒸発させることのできる方法の開発が必要であった。また、特許文献においても課題があり、例えば、特許文献１では、岩盤浴における遠赤外線の波動について課題と細菌の滞留についての課題を解決する必要がある。【００１３】
特許文献２では、ミストを浴室に放出した後の浴室内の制御について明確にする必要性がある。【００１４】
特許文献３は、ミストが放出された浴室内の温度と湿度の環境とミストを制御する方法について明確にする必要がある。【００１５】
特許文献４は、ミネラルを含んだ溶液を高温、高圧とすることで蒸発させるものであり、十分なミネラルの蒸発が期待できない方法が採用されている。このため、ミネラルの蒸発の方法についての課題を解決する必要がある。【００１６】
特許文献５は、ミストの発生方法のみが開示されており、ミネラルの蒸発方法については十分な開示がなされていない。【００１７】
特許文献６も、ミストの発生方法のみが開示されており、ミネラルの蒸発方法については十分な開示がなされていない。【００１８】
そこで、本発明の目的は、第一に波動の異なる遠赤外線を放射することができ、細菌の滞留の少ない素材を提供することである。特に、任意の遠赤外線放射物質を複数配合して使用する事により、遠赤外線の振動波形は、複数の波動が重なり、共鳴作用効果が得られる事となる。その結果、共鳴作用により、浸透力を増幅された遠赤外線は、利用者の身体の内部へ迅速に伝導され、効率的な遠赤外線効果が得られる技術と、その『遠赤外線の交響効果』を表する効果を実現することを目的とする。【００１９】
また、本発明の第二の目的は、バランス良く配合されたミネラル溶液を提供することにある。【００２０】
さらに、本発明の第三の目的は、ミネラルを十分蒸発させることでミネラルを含んだ蒸気による入浴を可能にすることにある。【００２１】
次に、本発明の第四の目的は、超音波発生装置ではミストの拡散が不十分な場合に外気を導入することでミストの拡散を促進することにある。【００２２】
続いて、本発明の第五の目的は、超音波発生装置ではミストの拡散が不十分な場合に外気を導入することで、外気温の影響を受けるために、浴室内からの気体を導入することで熱交換を行うことにある。
【課題を解決するための手段】
【００２３】
本発明の目的を解決する為に、本発明に係る温泉ミスト吸引施設は、ミネラル溶液を生成するミネラルタンクと、ミネラル溶液を移送するミネラル供給部と、移送されたミネラル溶液をミスト化するミスト発生部と、加熱部と加熱部に加熱される玉砂利層とを備える浴室を備える温泉ミスト吸引施設であって、【００２４】
ミネラル溶液をミネラルが含まれた状態でミスト化されたミストとして浴室上部から浴室内に投入し、浴室内の玉砂利層を湿潤させた上で加熱部により加熱することで、ミネラル入りのミスト雰囲気を一定の温度と一定の湿度に維持する。【００２５】
ミネラル供給部を浴室上部に配置することでミストを浴室上部から供給してもよい。【００２６】
また、ミストを送付部により浴室内に供給しても良く、ミストを浴室内の空気を送付部により浴室内に供給してもよい。【００２７】
さらに、ミネラル溶液を生成するミネラルタンクを加熱部であらかじめ加熱しても良い。続いて、浴室内のミスト放出口を、浴室内の床近傍としてもよい。
【発明の効果】
【００２８】
本発明を適用することで、波動の異なる遠赤外線を放射することができ、細菌の滞留の少ない素材を提供することができる。任意の遠赤外線放射物質を複数配合して使用する事により、遠赤外線の振動波形は、複数の波動が重なり、共鳴作用効果が得られる事となる。その結果、共鳴作用により、浸透力を増幅された遠赤外線は、利用者の身体の内部へ迅速に伝導され、効率的な遠赤外線効果が得られる技術と、その『遠赤外線の交響効果』を奏する効果を実現できる。【００２９】
また、本発明を適用することで、バランス良く配合されたミネラル溶液を提供することができる。【００３０】
さらに、本発明を適用することで、ミネラルを十分蒸発させることでミネラルを含んだ蒸気による入浴を可能にすることができる。【００３１】
次に、本発明を適用することで、超音波発生装置ではミストの拡散が不十分な場合に外気を導入することでミストの拡散を促進することができる。【００３２】
続いて、本発明を適用することで、超音波発生装置ではミストの拡散が不十分な場合に外気を導入することで、外気温の影響を受けるために、浴室内からの気体を導入することで熱交換を行うことができる。
【図面の簡単な説明】
【００３３】
【図１】本発明の第１の実施形態の温泉ミスト吸引施設の概略を示すブロック図である。
【図２】本発明の第２の実施形態の温泉ミスト吸引施設の概略を示すブロック図である。
【図３】本発明の第３の実施形態の温泉ミスト吸引施設の概略を示すブロック図である。
【図４】本発明の第３の実施形態の温泉ミスト吸引施設の上面図である。
【図５】本発明の第３の実施形態の温泉ミスト吸引施設の縦断面図である。
【図６】本発明の第３の実施形態の温泉ミスト吸引施設の加熱手段の配置図である。
【図７】本発明の第４の実施形態の温泉ミスト吸引施設の概略を示すブロック図である。
【図８】本発明の第５の実施形態の温泉ミスト吸引施設の概略を示すブロック図である。
【図９】本発明の第６の実施形態の温泉ミスト吸引施設５０２の側面図である。
【図１０】本発明の第６の実施形態の温泉ミスト吸引施設５０２の鉄筋５２０と配管５２２の構成図である。
【図１１】本発明の第６の実施形態の温泉ミスト吸引施設５０２のＡＡ‘の断面図である。
【図１２】本発明の第６の実施形態の温泉ミスト吸引施設５０２の上面図である。
【図１３】本発明の第６の実施形態の温泉ミスト吸引施設５０２の上面図である。
【図１４】本発明の第６の実施形態の温泉ミスト吸引施設５０２の2段式排水口５１０の断面図である。
【発明を実施するための形態】
【００３４】
次に、本発明に係る温泉ミスト吸引施設の実施の形態について図面を参照して詳細に説明する。
【００３５】
（第１の実施形態）
図１は、本発明の第１の実施形態の温泉ミスト吸引施設２の概略を示すブロック図を示したものである。
【００３６】
温泉ミスト吸引施設２では、ミストとして噴霧されるミネラル溶液を格納するミネラルタンク４が配置される。このミネラルタンク４は、配管６を経由して水栓８と連結される。水栓８は、水道と連結するもので良いが、温水栓であってもよい。
【００３７】
ミネラルタンク４は、ミネラル原液が注入される開口部１０が設けられる。ミネラルタンク４内で、ミネラル原液と水道水から精製されるミネラル溶液は、鉱物から直接ミネラル含有水溶液として抽出されるものであり、体に良いとされるミネラルをバランス良く含むことが望ましい。使用するミネラル溶液（温泉）は黒雲母の風化体である蛭石(ＶＥＲＭＩＣＵＬＩＴＥ)から無機酸によって２０数種類のミネラル分を溶解抽出したミネラル群溶液であり、有機物は含有されない。
【００３８】
出願人は福島県阿武隈山系より産出する腐食花崗岩に数十種類のミネラル成分がバランスよく含まれることを突き止め、含有されるミネラルが生体に吸収されやすいイオンの形で抽出されたミネラル溶液となっている。
【００３９】
本発明に係る温泉ミスト吸引施設に用いるミネラル溶液は、単体であり、化学的分類は、各種ミネラルの硫酸化物である。その成分および標準含有量（ｇ／Ｌ）は、Ｆｅは１０．５（ｇ／Ｌ）（但し、Ｆｅ２（ＳＯ４）３として）、Ａｌは９．２（ｇ／Ｌ）（但しＡｌ２（ＳＯ４）３として）、Ｍｇは３．７（ｇ／Ｌ）（ＭｇＳＯ４として）、Ｋは１．９（ｇ／Ｌ）（但しＫ２ＳＯ４として）、Ｈ２ＳＯ４は５１．１（ｇ／Ｌ）であり、その他数十種類のミネラルを含む。
【００４０】
また、その他数十種類のミネラルを含む（成分分析表参照）。統計品目番号（ＨＳNo.)：３８２４・９０−９００（化学工業製品）であり、標準国際商品分類（ＳＩＴＣ）：５２３−１９（無機化学製品）であり、国連番号：Item No.６６ ＵＮNo.２７９６（低濃度硫酸含有物質）である。
【００４１】
また、ミネラルは、分類は、酸性ミネラル含有水溶液であり、危険性は、遊離硫酸分が低いため（約５％）人間の皮膚に対する腐食性はない。有害性は、無害である。有害な重金属を含有していない（成分分析表参照）。環境におよぼす影響は、水質浄化剤であり、いかなる自然環境にも影響を及ぼさない。この事はヒメダカに対する毒性試験で証明されている。
【００４２】
なお、物理的/化学的性質は、外観は、茶褐色の液体である。その比重は、１．１５〜１．１６であり、ｐＨは、０．５〜１．０であり、沸点は、１００℃であり、氷点は、-１０℃であり、溶解度（水）は、１００％（１０℃）である。
【００４３】
さらに、危険性データとして、爆発点はなし（水溶液につき）、引火性は、なし（水溶液につき）、燃焼性は、なし（水溶液につき）、爆発性は、なし（水溶液につき）、粉塵爆発性はなし（水溶液につき）である。
【００４４】
また、有害性データとして、皮膚に対する腐食性は、なし、刺激性は、傷ついた皮膚を刺激する。一方、感受性は、なし、急性毒性は、なし、準急性毒性は、なし、慢性毒性は、なし、発癌性は、なし、突然変異性は、なし、奇形誘発性は、なしである。
【００４５】
さらに、環境データでは、分解性は、なし、蓄積性は、なしである。次に表１に成分ごとの含有量を示す。
【００４６】
【表１】
0006523960.tif 000002
【００４７】
また、魚に対する毒性は、なしである（但し酸性につきｐＨに注意する必要がある）。
【００４８】
採用された分析方法は、Ｋ,Ｎａ,Ｌｉについては原子吸光分析法であり、Ｓについては臭素で酸化後ＢａＳＯ４重量法であり、他、高周波誘導結合プラズマ発光分光分析法（ＩＣＰ）が用いられている。
【００４９】
加えて、有害重金属の含有量（東京都食品衛生協会の検査結果）では、砒素は、検出しない結果であり、鉛についても検出しない。また、カドミウムは、検出しない状態である。その他、総水銀は、検出しない。
【００５０】
ミネラル溶液の入ったミネラルタンク４は、連結管１２を介してミネラル供給部１４と連結される。
【００５１】
ミネラル供給部１４は、通常のポンプであり、ミネラルタンク４内のミネラル溶液をミスト発生部１８に供給する装置である。
【００５２】
ミスト発生部１８は、ミネラル供給部１４と連結管１６を介して連結される。ミスト発生部１８は、ミスト管２８を介して浴室３０と連結される。ここで、ミスト発生部１８を浴室３０の上部に配置するとミストの供給を最短距離で行うことができる。また、ミストを浴室３０の上部から放出することができる。
【００５３】
ミスト発生部１８は、その内部にミネラル溶液漕２０を備える。
【００５４】
ミネラル溶液漕２０は、連結管１６経由で送出されるミネラル溶液が貯液される。そのミネラル溶液漕２０のミネラル溶液の貯液量は、フロートスイッチ２２で制御される。ミネラル溶液漕２０の中にフロートスイッチ２２が浮かべられ、ミネラル溶液が所定の量を下回るとフロートスイッチ２２がＯＮとなり、信号線２４で連結されるミネラル供給部１４に伝達されて、ミネラル溶液のミネラル溶液漕２０への供給が開始される。逆にミネラル溶液が所定の量を上回るとフロートスイッチ２２がＯＦＦとなり、信号線２４で連結されるミネラル供給部１４に伝達されて、ミネラル溶液のミネラル溶液漕２０への供給が停止される。
【００５５】
ミネラル溶液漕２０は、その底部に振動子２６が配置される。振動子２６は、その内部に圧電セラミック素子等を内蔵し、２ＭＨｚ前後の振動が行われるように設定することで、ミネラル溶液をミネラルを含んだままミスト化することができる。ミスト化したミネラル溶液はミスト管２８を通して浴室３０に供給される。
【００５６】
従来の施設では砂利の上に直接ミネラルを含んだ温泉水をホースで撒き、床暖房の熱を利用して蒸発させることで室内の湿度を上げていたが、ミネラルの質量が水に比べ重いため地下に沈殿し、蒸気の成分の大半は水であった。
【００５７】
この問題を解決するため、出願人は超音波加湿の原理を応用してミネラル溶液を数ミクロンまで微細化し、それをファンにより直接室内に送り込む技術を開発した。
【００５８】
ミネラル溶液漕２０の底に圧電セラミックスの振動子を設置し、これに高周波の交流電圧を加えると、発生した超音波の振動エネルギーは水面に伝わり、ある条件下では水面の一部が隆起して、そこから微細な霧が発生する。本願のミスト発生部１８は共振周波数がきわめて高いので霧が発生する。
【００５９】
圧電振動子の大きさや厚み、周波数、音圧、水深などの最適条件を割り出すとともに、圧電振動子を水平ではなく、少し傾けて設置することで、霧化効率を最大化するように設定されている。
【００６０】
ミネラルタンク４からミスト発生部１８に供給されるミネラル溶液は、フロートスイッチ２２により一定水位を保つようになっていて、ミネラル溶液漕２０の底には振動子２６が設置されている。駆動回路から高周波の電圧が加わると、圧電振動子は超音波振動子として機能し、その振動エネルギーは水面に集中して水柱が立ち、表面張力が大幅に低下した水柱の先端部から水の微粒子が飛散する。これを図示しない送風ファンのエアフローによって、ミネラルの霧として送り出している。ミスト発生部１８の霧粒は数ミクロン（μm）程度ときわめて微細なため、本願の温熱効果で毛穴が開き毛細血管および代謝が活発になった体に効果的に浸透させることが可能になった。
【００６１】
浴室３０は、上部にミスト管２８の開口部が設けられ、ミネラルを含んだミストが放出されるように設けられている。一方、浴室３０の最下端である床部分には加熱部３４が設けられる。加熱部３４は、電気ヒータまたは、温水用の配管が設けられ、浴室３０内を室温が４０℃から５０℃であり、好適には４５℃となるように加熱ができるように構成される。
【００６２】
加熱部３４の上層には玉砂利層３２が設けられる。浴室３０の一部には水栓３６が設けられ、そこから玉砂利層３２の表面が濡れる程度に散水することで、玉砂利層３２の表面から水分が蒸発し、ミネラルを含んだミストと併せて湿度が７０％から９０％、より好適には８０％となるように設定される。
【００６３】
また、浴室３０には、その内壁に温度センサ３８が設けられる。温度センサ３８は、加熱源部４２と配線４０で連結される。加熱部３４と加熱源部４２は連結部４４で連結される。加熱部３４が電熱ヒータであれば、加熱源部４２は電源であり、連結部４４は導電線である。一方、加熱部３４が温水管であれば、加熱源部４２は湯沸装置であり、連結部４４は配管である。ここで加熱源部４２は、設定温度を４５℃とすると、室温４５℃に対して低い場合は、加熱部３４を加熱するように設定され、室温４５℃に対して高い場合は、加熱部３４の加熱を停止する。すなわち、加熱部３４が電熱ヒータである場合は、温度センサの値で電源がその駆動と停止とを制御され、加熱部３４が温水管であれば、温度センサの値で湯沸装置がその加熱と停止を制御される。
【００６４】
ここで、従来の１枚岩を用いた岩盤浴は、単一の波動を持つ石による遠赤外線のため体がその波動に慣れてしまい抗体が出来て遠赤外線効果が薄れてしまうという課題を有していた。また岩盤上に細菌が滞留しやすく衛生面からも懸念があった。
【００６５】
そこで出願人らは、岩盤を玉砂利化しそれぞれの特徴にあわせて異なる石をブレンドすることで異なる波動の遠赤外線を放射させることで体への慣れを防止することが出来るようにした。また玉砂利を丸ごと高圧洗浄器で洗えるため衛生面からも優れた効果を発揮できる。入浴者は更に玉砂利に体を埋もれて横たわるため、適度な体へのツボ押し効果もあり寝心地の良さもあわせて実現された。
【００６６】
遠赤外線は電磁波の一種で、波長が４．０〜２５μｍ（マイクロメートル）の範囲と定義されている。
【００６７】
遠赤外線は熱ではない。遠赤外線は放射伝達により有機物に吸収しやすく、その有機物の分子に振動エネルギーを与えて運動し分子自体が発熱することで暖かくなる。遠赤外線は別名、「育成光線」とも呼ばれ、人体の皮下深層に浸透し細胞を共振させることでマイルドに体を温め、また冷めにくいという特長を有する。体温が上昇すると、毛細血管が拡張され、血液循環がよくなり、細胞の新陳代謝、免疫力増加など、人体が本来持っている自然治癒力を高めていく。
【００６８】
また、玉砂利層３２は、玉砂利として、麦飯石、ラジウム鉱石、トルマリン、医王石、玄武火山岩、ゲルマニウム鉱石、高千穂石/天照石、天寿石、千明石および化石黄土のいずれかまたはそれらの一部あるいは全部の組み合わせを用いる。
【００６９】
具体的には、麦飯石は、約７０００万年〜５０００万年前に地殻変動の大きなエネルギーの影響を受けた鉱物が、超高圧・超高温の力が加わり麦飯石は成形される。麦飯石の形成は特殊であるため、世界中でも数箇所でしか採掘されず、大変希少価値の高い天然鉱石である。麦飯石は、多孔質であるため水道水のカルキ成分(塩素)や雑菌を吸着し、また豊富なミネラル成分が溶出し、遠赤外線の放射強度も強い石である。
【００７０】
ラジウム鉱石は、ラジウムを含有した岩石であり、このラジウムとは、アルカリ土類金属であって、１８９８年にキュリー夫妻が発見したものである。安定した同位体はなく、４つの同位体のいずれも放射性元素であり、そのうち半減期の最も長いラジウム２２６がアルファ崩壊してラドン２２２（ガス）になる。
【００７１】
ラジウム鉱石の色彩は銀白色で、岩石・温泉などに含まれる。温泉成分にラジウム、ラドン、トロンなどの放射性元素が含まれている温泉を放射能泉と言う。温泉の放射性元素含有量によって、ラジウム温泉、ラドン温泉などと呼ばれている。
【００７２】
トルマリンは、日本名を電気石と言い外部から熱や圧力が加わることにより、微弱な電気が流れる。形の崩れたトルマリンと違い、結晶体の形を保ったトルマリンは、極性結晶体といわれ、一方にマイナスの電極、もう一方にプラスの電極を備えている。
【００７３】
つまりこの電極を備えた結晶体であるからこそ、電気作用に効率的な働きをする。
【００７４】
医王石は、海底堆積物が海中の成分を含んだまま生成され、長い時を経て地殻変動により地上に現れた天然鉱石です。多孔性に富み、良質のミネラル成分をバランスよく含んでおり、中でも可溶性の珪酸が３３％含まれており、この珪酸が溶ける時にミネラル分も一緒に溶け出す。水質改善や還元水作りには最適で、各社の浄水器にも原料として使用されている。また近年では、遠赤外線放射・ミネラル溶出・還元作用が期待されている。
【００７５】
玄武火山岩は、調湿生・有害物質の吸着や臭気の吸着、防音・耐熱性に優れている。
【００７６】
ゲルマニウム鉱石において、ゲルマニウムは金属と非金属の中間に位置する半導体であり、光や熱などのエネルギーの影響により、３２℃以上になると電気を通す導体となる。導体となったゲルマニウムの電子は、自由電子となって活発に活動するようになり、相手がプラスの電気の場合はマイナスの働きをし、相手がマイナスの電気の場合はプラスの働きをする。人間には、生体電流という極微弱な電流が流れているが、この生体電流に効率良く働くのがゲルマニウムである。
【００７７】
高千穂石/天照石において、高千穂石の放射エネルギーは、４〜１４ミクロンの電磁波で遠赤外線の一種である。これは動植物の育成や、生命の生理活性のために非常に有効に作用することが明らかになっている。
【００７８】
特に、二酸化ケイ素の含有量が多く、石英、水晶と同様にクオーツ(振動)を起こし、私達の体内の水分子を共振共鳴させ、血行促進による代謝機能の向上と共に体温上昇で免疫力強化が図られると言われている。さらにはアトピー性皮膚炎の治療や冷えの改善、入浴材等幅広く活用されている。
【００７９】
天寿石は、韓国産の天然石であり、韓国の月岳山を有する地域は、渓谷や湖を有し、大自然の雄大な魅力あふれる地域であり、天寿石はこの地域の地層から産出され、ミネラル成分に優れるだけでなく、遠赤外線放射率が高く、特に波動数値が他に類を見ないほど優れていることから様々な分野で利用される。
【００８０】
千明石は、韓国の孔雀山麓の土壌から産出される天然石であり、遠赤外線放射率や波動数値が非常に優れた鉱石として知られています。また、この岩石をくぐり抜けて湧き出た水はミネラルバランスに優れた水として利用されている。
【００８１】
化石黄土は、調湿性・有害物質の吸着や遠赤外線作用に優れ、遠赤外線サウナに最も多く使用されている天然鉱石である。
【００８２】
以上の構成において本発明の動作について説明する。
【００８３】
水栓８から送水された水が、配管６を経由してミネラルタンク４内に導入されて、開口部１０から注入されたミネラル原液と予め定められた配合比で混合されてミネラル溶液が生成される。
【００８４】
ミネラル溶液は、ミネラル供給部１４によってミスト発生部１８に導入される。ミネラル供給部１４は、詳細にはミネラル溶液をミネラル溶液漕２０に導入するが、ミネラル溶液漕２０内に設けられたフロートスイッチ２２からの信号に従って供給する。フロートスイッチ２２は、ミネラル溶液漕２０内のミネラル溶液の量が所定量を下回った場合にミネラル供給部１４に要供給信号を送信し、ミネラル供給部１４はミネラル溶液を送出する。
【００８５】
ミネラル溶液漕２０内に導入されたミネラル溶液は、振動子２６によりミスト化される。
【００８６】
生成されたミストはミスト管２８を経由して浴室３０に導入される。浴室３０は、加熱部３４で玉砂利層３２が加熱されて遠赤外線による熱放射で加熱される。その温度調整は、温度センサ３８とその信号の加熱源部４２へのフィードバックによって調整される。
【００８７】
一方、湿度については、水栓３６からの水が玉砂利層３２を湿潤させ、その結果、水が蒸発することで加湿され、湿度が８０％となるように管理される。
【００８８】
以上のように動作することで、動力を使用せずとも、容易にミストを浴室３０に導入することが可能となる。
【００８９】
（第２の実施形態）
図２は、本発明に係る第２の実施形態の温泉ミスト吸引施設１０２の概略を示すブロック図を示したものである。
【００９０】
指示番号は、第１の実施形態と同一のものについては下二桁を同一の数値とし、同一のものについては説明を省略する。
【００９１】
第２の実施形態について第１の実施形態との相違点を中心に説明する。第２の実施形態では、ミネラルタンク１０４とミネラル供給部１１４とミスト発生部１１８とが、浴室１３０の上部ではなく、隣接した場所等に配置された場合の実施形態である。この場合、ミストを長距離に渡って移送するため、ミスト流を発生させるために一定の圧力が必要となる。そこで、第２の実施形態ではミスト管１２８に送風管１５０を合流させて、浴室１３０の上部壁に設けた開口端１２９からミスト流を送出するものである。
【００９２】
このため、構成として外気の導入管１４６を送風部１４８に連結し、送風部１４８が送風管１５０と連結される。送風管１５０は、ミスト管１２８とＹ字継ぎ手を用いて連結され、このため圧力損失を減少させることができる。また、送風部１４８の圧力を用いることができるため、ミスト発生部１１８で生成したミストを浴室１３０へ移送できる。
【００９３】
（第３の実施形態）
図３は、本発明に係る第３の実施形態の温泉ミスト吸引施設２０２の概略を示すブロック図を示したものである。
【００９４】
指示番号は、第２の実施形態と同一のものについては下二桁を同一の数値とし、同一のものについては説明を省略する。
【００９５】
第３の実施形態は、第２の実施形態において外気から送風していたものを浴室２３０と隣接する風除け室２５２から導入する点で異なっている。冬季に外気温が低下した際に外気を用いてミストを送風すると、ミスト温度が低下することで２つの課題が生じる。第一の課題が、浴室２３０温度の低下である。室温を４５℃で維持する妨げとなる。第二点が、ミスト中の湯気成分の増加が発生する。温度の低下により飽和水蒸気量が低下するため、湯気成分が増大する。
【００９６】
そこで、浴室２３０と同じ防水状態で隣接して浴室２３０への通路に風除け室２５２を設け、その扉２５４で区切る。このため、風除け室２５２内部は浴室２３０の室温に極めて近くなる。このため、ミストの温度の低下を最小限とすることができ、また不要な湯気成分を削減させることができる。
【００９７】
図４に第３の実施形態における温泉ミスト吸引施設の上面図を示す。特に、加熱部２３４の詳細について説明する。
【００９８】
加熱部２３４は、湯沸器２４２と配管２３４２と配管２３４４から構成され、浴室２３０の底部に蛇腹状に配置される。湯沸器２４２に給水管２３２２とガス管２３２４が配設される。
【００９９】
また、図４に浴室２３０に隣接する風除け室２５２から導入管２４６で送風部２４８へ連結され、送風管２５０がミスト管２２８に連結される様子が示される。
【０１００】
図５は、第３の実施形態の温泉ミスト吸引施設の縦断面図が示される。図５では、最下層にＦＲＰ板２５９、その上層にウレタン２５８が配置されて断熱される。ウレタン２５８の上層には鉄筋２３５２が格子状に配置される。配管２３４６と配管２３４２は、鉄筋２３５２に沿ってその上部に配置され、各格子点でバンセン２３５０で固定される。これらをいずれもコンクリートで全体を固定する。コンクリート床を生成後にその上に玉砂利層２３２を配置する。
【０１０１】
壁面については、最外層の内部にウレタン層２４４を設け、その内側にスタッド層２４９が設けられ、その内部に合板２４７が配置され、その内側にキッチンパネルが配置される。
【０１０２】
また、鉄筋２３５２と配管２３５４と２３４６，２３４８，２３４２，２３４４は、鉄筋２３５２が格子状に配置されるのに対して、配管は格子と同一に配置されるが１本の配管のみで配管するのではなく、複数の配管によって、格子状の配置を形成することがわかる。
【０１０３】
（第４の実施形態）
図７は、本発明に係る第７の実施形態の温泉ミスト吸引施設３０２の概略を示すブロック図を示したものである。
【０１０４】
指示番号は、第３の実施形態と同一のものについては下二桁を同一の数値とし、同一のものについては説明を省略する。
【０１０５】
第３の実施形態との違いは、ミネラルタンク３０４とミネラル供給部３１４とミスト発生部３１８とが、玉砂利層３３２内に埋め込まれている点である。先の実施の形態では、いずれもミネラルタンク３０４とミネラル供給部３１４とミスト発生部３１８が外部に配置され、冬季は温度の低下が見込まれている。そこで、ミネラルタンク３０４とミネラル供給部３１４とミスト発生部３１８を玉砂利層３３２内に配置することで、ミネラル溶液の温度低下を最小限にすることができる。
【０１０６】
（第５の実施形態）
図８は、本発明に係る第５の実施形態の温泉ミスト吸引施設４０２の概略を示すブロック図を示したものである。
【０１０７】
指示番号は、第３の実施形態と同一のものについては下二桁を同一の数値とし、同一のものについては説明を省略する。
【０１０８】
第５の実施形態との違いは、浴室４３０の開口端４５６の位置である。個の端部が浴室４３０の床近くに開口される。このため、顧客等はミネラルを含むミストを直接浴びることが可能となる。
【０１０９】
また、他の実施の形態として、浴室に防水型スピーカーを設け、アンプ、音楽メディア再生装置と連結し、音楽や実際の森林で録音された森林で発生するあらゆる音を再生することで浴室利用時のヒーリング効果を高めても良い。具体的には、聴覚によるヒーリング効果を高める事を目的にドイツのクナイプ療法を参考に浴室床に横たわりながら森林の音をライブで聴くことでさらなる効果を得ることができる。その結果、森林の音をライブで聴く森林浴によって、第一にストレスホルモンが減少する。さらに、副交感神経活動が高まる。また、交感神経活動が抑制される。その上、収縮期・拡張期血圧、脈拍数が低下する。加えて、心理的に緊張が緩和し活気が増すこととなる。続いて、ＮＫ活性が高まり免疫能が上がる。最後に、抗がんタンパク質が増加する。
【０１１０】
（第６の実施形態）
図９は、本発明の第６の実施形態の温泉ミスト吸引施設５０２の側面図を示したものである。
【０１１１】
温泉ミスト吸引施設５０２は、土台５０４の上で梁５０６を柱５０８が支える。土台５０４の上には、2段式排水口５１０に向けて傾斜させた断熱材５１２が打設される。断熱材５１２の上面は、防水加工された防水加工面（ＦＲＰ）５１４が形成されており、2段式排水口５１０の中継ドレン５１６が設けられ、防水加工面（ＦＲＰ）５１４で集められた排水は中継ドレン５１６に流れるように構成される。防水加工面（ＦＲＰ）５１４の上側にさらに、混和剤とコンクリを混ぜた断熱材５１８が設けられる。断熱材５１８の上面には、図示されない鉄筋５２０が配設され、同じく図示されない配管５２２が設けられる。詳細は別途説明する。断熱材の利用により床から熱が逃げることを低減することができる。ＦＲＰ防水と混和防水を組み合わせることで防水機能を高めることとなる。また、コンクリートのクラック対策にもなる。
【０１１２】
断熱材５１８、鉄筋５２０、配管５２２の上にさらに、コンクリ層５２４が打設される。コンクリ層は、７〜１０ｃｍ程度の厚みが好ましい。コンクリ層５２４の上面にも防水加工面（ＦＲＰ）５２６が設けられ、2段式排水口５１０の上側ドレン５２８が設けられ、防水加工面（ＦＲＰ）５２６で集められた排水が上側ドレン５２８に集水されて廃棄される。従って、防水加工面（ＦＲＰ）５２６、コンクリ層５２４、鉄筋５２０、断熱材５１８および防水加工面（ＦＲＰ）５１４はいずれも０．１％〜５％、好ましくは０．５％〜３％程度の傾斜を有している。この為、皮脂汚れなどを流すことが容易である。防水加工面（ＦＲＰ）５２６の上に、機能性玉砂利５３０が、搭載されるがその上面はフラットとなるように搭載される。機能性玉砂利５３０の下に、すのこ又は金網を敷くことで皮脂汚れの流れをよくすることもできる。
【０１１３】
温泉ミスト吸引施設５０２の壁面は、柱５０８より室内側に、断熱材５３２が設けられ、さらに、室内側に2枚のパネル５３４がその継目が互いに重ならぬように積層される。
【０１１４】
2段式排水口５１０の上側の側壁に下段に温水ミスト機５３６が配設される。温水ミスト機５３６の直上には、高濃度ミネラル用ミスト機５３８が配設される。
【０１１５】
温水ミスト機５３６は、温水を常時供給して供給する温水により温度を制御可能なミスト機である。室温を維持するため、高濃度ミネラル用ミスト機５３８より供給能力が高いことが好ましい。直接温水を供給することで室温の低下を防止することができる。また、温水を供給することが出来るので、メンテナンス用の水栓等と配管を共有可能である。また、高濃度ミネラルを使用しないので温水ミスト機の劣化を低減でき、メンテナンスの頻度も低減可能である。
【０１１６】
高濃度ミネラル用ミスト機５３８は、常温ではあるが高濃度ミネラル専用のミスト機であり、適切な濃度に調整した高濃度ミネラル水を補給することで、常時高濃度ミネラル用ミストを発生する。高濃度ミネラル用ミスト機５３８を専用機とすることで、高濃度ミネラルによるミスト機の腐食や劣化に対しても温水ミスト機５３６に影響を与えることなく自由に調整と交換が可能である。
【０１１７】
これらのミスト機に対して、外部水源５４０から配管５４２を介してメンテナンス用水栓５４４と連結される。さらに、外部水源５４０は、配管５４６を介して、湯沸かし器５４８と連結される。この湯沸かし器５４８は、さらに配管５５０を通じてメンテナンス用湯栓５５２と温水ミスト機５３６に連結される。すなわち、湯沸かし器５４８一台でメンテナンス用湯栓５５２と温水ミスト機５３６に供給することができる。加えて外部水栓の他に高圧洗浄装置を設けてメンテナンスの効率を向上させてもよい。
【０１１８】
二台のミスト機とは別の壁面に、給気用換気口５５４と排気用換気口５５６が、ミスト機より高い位置に、一定の間隔を設けて同一の高さに設けられる。給気用換気口５５４は外気を給気し、排気用換気口５５６は室内の空気を排気する。図示しないが、換気用のファンの目の電動機は換気口に連通するパイプ内に設けることで高濃度ミネラルによる劣化時に交換を容易にすることができる。換気用ファンは、給気と排気で独立に制御可能に構成することで、給排気時の温度低下を防ぐことが出来る。
【０１１９】
なお、給排気に代わって熱交換を行ってもよい。
【０１２０】
天井５５８は、防水加工面（ＦＲＰ）５２６と逆にミスト機と反対側に傾斜するように構成される。天井５５８の外面も防水加工された防水加工面５６０であり、その梁側にパネル５６２が設けられ、さらにパネル５６２の内側に断熱材５６４が設けられる。
【０１２１】
続いて、詳細な構成について図１０〜図１４を用いて説明する。図１０、図１１を用いて、床の構成について説明する。図１０は、鉄筋５２０と配管５２２の構成を示しており、鉄筋５２０は、断熱剤５１８の上に格子状に配置される。この配管５２２は、玉砂利加熱用の配管であり、図示されない温水湯沸かし器と連結されて玉砂利を加熱する機能を有する。配管５２２は、蛇腹状に配置されており、但し、配管同士は互いに交差しないように配置される。このように配置させることで、温度維持のために必要最小限の配管とすることができる。このため、配管へ供給する温水を必要最低限度にすることができ、燃料コストの低減をはかることができる。
【０１２２】
図１１は、図１０のＡＡ”の断面図であり、配管５２２と鉄筋５２０が上下に配置されており、断熱材５１２の上に防水加工面（ＦＲＰ）５１４が設けられ、さらに混和剤とコンクリを混ぜた断熱材５１８と鉄筋５２０が設けられ、さらに、コンクリ層５２４の中に配管５２２が配置される。その上層には防水加工面（ＦＲＰ）５２６が設けられ、その上に機能性玉砂利５３０が配置される。
【０１２３】
図１２は、温泉ミスト吸引施設５０２の上面図である。浴室５０１に隣接して風除室５６６が設けられている。浴室５０１には、一側面には高濃度ミネラル用ミスト機５３８が設けられ、その側面と異なる面に給気用換気口５５４と排気用換気口５５６が設けられている。給気用換気口５５４から給気された外気は、浴室５０１内を循環して矢印の通り、排気用換気口５５６から排気される。また、風除室５６６には、浴室５０１に連通する内部口５６８と、外部に連通する外部口５７０が設けられている。本実施の形態では、風除室に給排気を配管しない。風除室からの高濃度ミネラルミストの外部への放出や結露を防ぐことが出来る。
【０１２４】
図１３は、温泉ミスト吸引施設５０２の上面図である。特に玉砂利と仕切りについて示した図である。
【０１２５】
玉砂利に対して一人分のスペースを明確にさせるために、板などの仕切り５７２を設けることで顧客スペースを明確化することができる。さらに、その仕切り５７２で区切ることで複数種類の玉砂利５７４，５７６を配置させて、顧客の好みに応じた玉砂利を配置することもできる。機能性玉砂利として、とるマリン、薬石、ラジウムボールを採用することもできる。さらに、仕切りの上に格子などのパネル５７８を設けることでより個人の空間を明確にすることもできる。仕切りにはガラス塗料を塗装することで劣化対策をとることができる。仕切るスペースは、１．８平米程度の個人用や、３．３平米程度の二人用さらに７平米程度の家族用などにわけることもできる。
【０１２６】
図１４は、2段式排水口５１０の断面図である。2段式排水口５１０は、中継ドレン５１６と、上側ドレン５２８とから構成される。中継ドレン５１６は、中央に上側ドレン５２８の落とし口５８０が挿入され、その周りに複数の中継排水孔５８２の開口するドーナツ状の中継ドレンキャップ５８４が設けられる。中継ドレンキャップ５８４の下に中継排水口５８６が設けられ、中継排水口５８６の下部に中継落とし口５８８が開口して下水口へ連通する。中継ドレンキャップ５８４のレベルは、防水加工面（ＦＲＰ）５１４と一致する。
【０１２７】
上側ドレン５２８は、複数の上側排水孔５９０の開口する円形の上側ドレンキャップ５９２が設けられ、この上側ドレンキャップ５９２下に上側排水口５９４が設けられる。この上側排水口５９４の中央に中継ドレン５１６に連結される落とし口５８０が設けられる。上側ドレンキャップ５９２のレベルは、防水加工面（ＦＲＰ）５２６と一致する。防水層を二段とすることで、断熱層で発生する結露対策と成る。
【０１２８】
以上の構成において、実施の形態６の動作について説明する。浴室５０１は、機能性玉砂利５３０を配管５２２内を循環する温水によって加熱する。
【０１２９】
一方、温水ミスト機５３６の発生するミストも温水から生成させることで浴室５０１内を加熱する。他方、高濃度ミネラル用ミスト機５３８から、高濃度のミネラルを含んだ常温の高濃度ミネラル用ミストを発生させる。高濃度ミネラル用ミスト機５３８が、温水ミスト機５３６の上に配置されることから、温水ミスト機５３６で発生した温水ミストと高濃度ミネラル用ミストが混合して室内に充満する。このようにすることで、高濃度ミネラル用ミスト機５３８に温水を直接供給することなく、室温を上昇させることが出来るので冬季に外気温が低下しても室内の温度を下げることなく高濃度ミネラル用ミストを供給することができる。また、高濃度ミネラル用ミスト機５３８と温水ミスト機５３６を別にすることで、ミスト機の負荷が軽減され、メンテナンスの負荷もさげることができる。
【０１３０】
なお、室温や湿度が上昇した場合に給気用換気口５５４と排気用換気口５５６で換気することで、室温や湿度を下げることができる。
【符号の説明】
【０１３１】
２  温泉ミスト吸引施設
４  ミネラルタンク
６  配管
８  水栓
１０  開口部
１２  連結管
１４  ミネラル供給部
１６  連結管
１８  ミスト発生部
２０  ミネラル溶液漕
２２  フロートスイッチ
２４  信号線
２６  振動子
２８  ミスト管
３０  浴室
３２  玉砂利層
３４  加熱部
３６  水栓
３８  温度センサ
４０  配線
４２  加熱源部
４４  連結部
１０２  温泉ミスト吸引施設
１０４  ミネラルタンク
１１４  ミネラル供給部
１１８  ミスト発生部
１２８  ミスト管
１２９  開口端
１３０  浴室
１４６  導入管
１４８  送風部
１５０  送風管
２０２  温泉ミスト吸引施設
２２８  ミスト管
２３０  浴室
２３２  玉砂利層
２３４  加熱部
２４２  湯沸器
２４６  導入管
２４４  ウレタン層
２４９  スタッド層
２４７  合板
２４８  送風部
２５０  送風管
２５２  風除け室
２５４  扉
２５９  ＦＲＰ板
２５８  ウレタン
２３４２  配管
２３４４  配管
２３２２  給水管
２３２４  ガス管
２３４２  配管
２３４６  配管
２３４８  配管
２３５０  バンセン
２３５２  鉄筋
２３５４  配管
３０２  温泉ミスト吸引施設
３０４  ミネラルタンク
３１４  ミネラル供給部
３１８  ミスト発生部
３３２  玉砂利層
４０２  温泉ミスト吸引施設
４３０  浴室
４５６  開口端
５０１  浴室
５０２  温泉ミスト吸引施設
５０４  土台
５０６  梁
５０８  柱
５１０  2段式排水口
５１２  断熱材
５１４  防水加工面（ＦＲＰ）
５１６  中継ドレン
５１８  断熱材
５２０  鉄筋
５２２  配管
５２４  コンクリ層
５２６  防水加工面（ＦＲＰ）
５２８  上側ドレン
５３０  機能性玉砂利
５３２  断熱材
５３４  パネル
５３６  温水ミスト機
５３８  高濃度ミネラル用ミスト機
５４０  外部水源
５４２  配管
５４４  メンテナンス用水栓
５４６  配管
５４８  湯沸かし器
５５０  配管
５５２  メンテナンス用湯栓
５５４  給気用換気口
５５６  排気用換気口
５５８  天井
５６０  防水加工面
５６２  パネル
５６４  断熱材
５６６  風除室
５６８  内部口
５７０  外部口
５７２  仕切り
５７４，５７６  玉砂利
５７８  パネル
５８０  落とし口
５８２  中継排水孔
５８４  中継ドレンキャップ
５８６  中継排水口
５８８  中継落とし口
５９０  上側排水孔
５９２  上側ドレンキャップ
５９４  上側排水口
【図１】
0006523960.tif 000003
【図２】
0006523960.tif 000004
【図３】
0006523960.tif 000005
【図４】
0006523960.tif 000006
【図５】
0006523960.tif 000007
【図６】
0006523960.tif 000008
【図７】
0006523960.tif 000009
【図８】
0006523960.tif 000010
【図９】
0006523960.tif 000011
【図１０】
0006523960.tif 000012
【図１１】
0006523960.tif 000013
【図１２】
0006523960.tif 000014
【図１３】
0006523960.tif 000015
【図１４】
0006523960.tif 000016